(57)【要約】【課題】椅子の荷重支持部材に採用される椅子用基板構造及びこれを用いた椅子において、椅子用基板の剛性感を確保しつつ特定の方向では椅子用基板を撓み易くする。【解決手段】脚体に支持される座板１３が、座板本体の下面に形成されて前後方向に沿って延びるとともに互いに独立して左右に並ぶ複数のリブ４１と、座板本体の下面の外周部に形成されて複数のリブ４１を囲む外周壁４２と、を有する。外周壁４２の後部には、背凭れ支持部材９を避ける切り欠き部４３が形成され、複数のリブ４１の少なくとも一部のリブ群が、その後端部を切り欠き部４３に臨ませる。【選択図】図２
2014236876.tif 000002
【特許請求の範囲】
【請求項１】
椅子の荷重支持部材に採用される椅子用基板構造において、
椅子の適所に支持される椅子用基板が、基板本体における着座者と反対側の裏面に形成されて左右方向と交差する方向に沿って延びるとともに互いに独立して左右に並ぶ複数の突条と、
前記基板本体の裏面の外周部に形成されて前記複数の突条を囲む外周壁と、を有することを特徴とする椅子用基板構造。
【請求項２】
前記椅子用基板が、前記複数の突条を避けて前記基板本体に撓み促進部を形成した容易変形部を有することを特徴とする請求項１に記載の椅子用基板構造。
【請求項３】
前記前記椅子用基板を椅子の適所に支持する基板受構造体を備え、
前記基板受構造体が、前記複数の突条の少なくとも一部の突条群を覆うように設けられ、前記椅子用基板に対する着座者の体圧に相当する荷重の入力前には、前記基板受構造体が前記突条の先端縁部から離間し、前記荷重の入力時には、前記基板受構造体が前記突条の先端縁部に当接することを特徴とする請求項１又は２に記載の椅子用基板構造。
【請求項４】
前記椅子用基板が、前記基板受構造体に前記突条の延び方向に沿って移動可能に支持されることを特徴とする請求項３に記載の椅子用基板構造。
【請求項５】
脚体と、脚体に支持された座受構造体と、前記座受構造体に支持される座板と、を備える椅子において、
前記座板が、座板本体の下面に形成されて前後方向に沿って延びるとともに互いに独立して左右に並ぶ複数の突条と、座板本体の下面の外周部に形成されて前記複数の突条を囲む外周壁と、を有し、
前記外周壁の後部には、背凭れ支持部材を避ける切り欠き部が形成され、
前記複数の突条の少なくとも一部の突条群が、その後端部を前記切り欠き部に臨ませることを特徴とする椅子。
【発明の詳細な説明】
【技術分野】
【０００１】
本発明は、椅子用基板構造及び椅子に関する。
【背景技術】
【０００２】
特許文献１には、椅子用基板（座板）において、受圧部の周囲を囲うフレーム部と、受圧部に多数の網目を区画する多数本の突条と、を有し、前記網目が開口とされたものが開示されている。
特許文献２，３には、椅子用基板（背凭れ）において、スリット状の開口が長手方向で直線状に並び、この開口が長手方向位置をずらして幅方向で千鳥状に並ぶものが開示されている。
特許文献４には、椅子用基板（背凭れ）において、縦長のひし型の開口が縦横に多数並ぶものが開示されている。
【０００３】
一方、脚体に支持された座受構造体に、座板とクッション等の着座体とを含む座体を、前後移動可能に支持した椅子として、例えば特許文献５〜１０に開示されたものが公知である。
この分野の椅子においては、脚体に支持された座受構造体の左右両側部において、座板の左右両側部が前後方向に沿って摺動可能に支持されている。この構造は、座板の前端部の位置を着座者の体の大きさによって様々に調整可能とすることによって、着座者の膝裏を座体によって下方から適切に支持し、長時間着座しても疲労しない好適な座り心地の椅子を提供することを目的としている。
【先行技術文献】
【特許文献】
【０００４】
【特許文献１】特許第４２３８１２２号公報
【特許文献２】特許第４４４８４８７号公報
【特許文献３】特許第４８８８９６５号公報
【特許文献４】特開２００９−１１２７２９号公報
【特許文献５】特許第４８０４６１９号公報
【特許文献６】特許第３７６９４９１号公報
【特許文献７】特許第４２０２６８７号公報
【特許文献８】特開２００２−２２３８８６号公報
【特許文献９】特許第３９６７１５０号公報
【特許文献１０】特開２０１０−９４３６５号公報
【発明の概要】
【発明が解決しようとする課題】
【０００５】
ところで、上記特許文献１では、突条が縦横に連続するように設けられるため、開口群があっても基板が撓み難いという問題がある。
また、特許文献２，３では、開口を囲む枠部が幅方向で互い違いに並ぶため、開口を幅方向へ開くような撓みは助長されるが、開口の強度は基板本体に残った枠部で維持しなければならず、経年劣化を招来し易いという問題がある。
特許文献４も同様に、開口の強度を基板本体に残った枠部で維持することから、経年劣化を招来し易いという問題がある。
【０００６】
一方、座体を前後移動可能とした椅子においては、座板の左右両側部が座受構造体の左右両側部に前後方向の広い範囲で支持されている。このため、座板の左右両側部より内側方の領域は下方へ撓もうとするものの、座板の下面には強度に配慮して格子状のリブが形成されることが多い。よって、座板の撓みはリブで囲まれた空間の範囲内で局地的に発生するものにならざるを得ず、座板全体が緩やかに変形するような撓みを発生させることは難しい。
また、座板が座受構造体に対して前後方向に摺動するという構造上、両者の間には空間が発生することが不可避であり、この空間に着座者の手指が進入し難くする配慮も必要である。これは、特許文献１０に開示されるように、左右方向に延びるリブを設けることでも対処できるが、左右方向のリブにより座板の撓みが阻害されてしまう。
【０００７】
本発明は上記事情に鑑みてなされたもので、椅子の荷重支持部材に採用される椅子用基板構造及びこれを用いた椅子において、椅子用基板の剛性感を確保しつつ特定の方向では椅子用基板を撓み易くすることを目的とする。
【課題を解決するための手段】
【０００８】
上記目的を達成するために、本発明は以下の手段を採用している。
すなわち、本発明に係る椅子用基板構造は、椅子の荷重支持部材に採用される椅子用基板構造において、椅子の適所に支持される椅子用基板が、基板本体における着座者と反対側の裏面に形成されて左右方向と交差する方向に沿って延びるとともに互いに独立して左右に並ぶ複数の突条と、前記基板本体の裏面の外周部に形成されて前記複数の突条を囲む外周壁と、を有することを特徴とする。
この構成によれば、椅子用基板における突条の延び方向では複数の突条によって撓みを抑制し、座体又は背凭れの剛性感を確保する一方、複数の突条を互いに独立した非連結状態とすることで、これらの並び方向（左右方向）では椅子用基板を撓み易くすることが可能となる。この椅子用基板の撓みにより、着座者の身体を左右方向から包み込むようにホールドし、着座姿勢のサポートを図ることができる。椅子用基板全体の強度剛性は、外周壁により適度に確保することができる。
なお、前記荷重支持部材とは、座体及び背凭れの他、ランバーサポートやヘッドレスト等も含む概念である。
【０００９】
本発明に係る椅子用基板構造は、前記椅子用基板が、前記複数の突条を避けて前記基板本体に撓み促進部を形成した容易変形部を有する構成であってもよい。
この場合、複数の突条によりその延び方向での剛性感を確保しながら、左右方向では容易変形部により狙った部位をより撓み易くし、ホールド性をより高めることができる。撓み促進部の周囲には突条が残るため、容易変形部の耐久性を確保することができる。
本発明に係る椅子用基板構造は、前記前記椅子用基板を椅子の適所に支持する基板受構造体を備え、前記基板受構造体が、前記複数の突条の少なくとも一部の突条群を覆うように設けられ、前記椅子用基板に対する着座者の体圧に相当する荷重の入力前には、前記基板受構造体が前記突条の先端縁部から離間し、前記荷重の入力時には、前記基板受構造体が前記突条の先端縁部に当接する構成であってもよい。
この場合、別途カバー等を設けることなく、基板受構造体によって突条のような補強構造を外部から視認し難くし、コストダウンを図った上で見映えの向上を図ることができる。
また、着座者の着座時にはその体圧によって突条の先端縁部を基板受構造体に当接させることで、椅子用基板の過度の変形を抑えるとともに、当接する突条の設定によって椅子用基板の撓みのコントロールを図ることができる。
本発明に係る椅子用基板構造は、前記椅子用基板が、前記基板受構造体に前記突条の延び方向に沿って移動可能に支持される構成であってもよい。
この場合、椅子用基板を移動させる際に基板受構造体に突条が接触しても、突条に沿って椅子用基板をスムーズに移動させることができる。
【００１０】
本発明に係る椅子は、脚体と、脚体に支持された座受構造体と、前記座受構造体に支持される座板と、を備える椅子において、前記座板が、座板本体の下面に形成されて前後方向に沿って延びるとともに互いに独立して左右に並ぶ複数の突条と、座板本体の下面の外周部に形成されて前記複数の突条を囲む外周壁と、を有し、前記外周壁の後部には、背凭れ支持部材を避ける切り欠き部が形成され、前記複数の突条の少なくとも一部の突条群が、その後端部を前記切り欠き部に臨ませることを特徴とする。
この構成によれば、座板における突条の延び方向では複数の突条により撓みを抑制し、座板の剛性感を確保する一方、複数の突条を互いに独立した非連結状態とすることで、これらの並び方向（左右方向）では座板を撓み易くすることが可能となる。この座板の撓みにより、着座者の身体を左右方向から包み込むようホールドし、着座姿勢のサポートを図ることができる。座板全体の強度剛性は外周壁により適度に確保し、かつ切り欠き部によって左右方向の撓み易さも確保することができる。
また、座板全体の枠となる外周壁の後部に切り欠き部を形成することで、座板全体の特に後部の左右方向の撓み易さを高めるとともに、切り欠き部に複数のリブの後端部を臨ませることで、切り欠き部に手指が進入することを抑止することができる。
【発明の効果】
【００１１】
本発明によれば、椅子の荷重支持部材に採用される椅子用基板構造及びこれを用いた椅子において、椅子用基板の剛性感を確保しつつ特定の方向では椅子用基板を撓み易くすることができる。
【図面の簡単な説明】
【００１２】
【図１】この発明の実施形態における椅子の左側面図である。
【図２】上記椅子の座体の下面側を見上げた斜視図である。
【図３】上記座体及びこれを支持する座受構造体の上面図である。
【図４】上記座体及び座受構造体の前面図である。
【図５】上記座体及び座受構造体の左側面図である。
【図６】上記座体及び座受構造体の下面図である。
【図７】図６のＡ−Ａ断面図である。
【図８】図６のＢ−Ｂ断面図である。
【図９】図６のＣ−Ｃ断面図である。
【図１０】図６のＤ−Ｄ断面図である。
【図１１】図６のＥ−Ｅ断面図である。
【図１２】上記座受構造体の下面図である。
【図１３】上記座体の座板の変形例を含む下面図である。
【発明を実施するための形態】
【００１３】
以下、本発明の一実施形態について図面を参照して説明する。なお、以下の説明では、椅子１の座体上に背凭れに背を向けて着座した着座者の「前方」を図中矢印ＦＲで示し、前記着座者の「上方」を図中矢印ＵＰで示し、上記着座者の「左方」を図中矢印ＬＨで示す。
【００１４】
図１に示すように、本実施形態の椅子１は、フロアＦ上に載置されるキャスタ７ａ付きの多岐脚７と、多岐脚７の中央部より起立する脚柱８と、脚柱８の上端部に取り付けられる支基３と、支基３の上方に座受構造体５を介して支持される座体４と、支基３の左右両側部に前下端部が枢着されて支基３内の不図示のリクライニング機構により後傾し得る側面視Ｌ字状の背凭れ支持部材９と、背凭れ支持部材９の後上部の前面に取り付けられる背凭れ１０と、座受構造体５の後部の左右両側に支柱が支持される左右一対の肘掛け６と、を備える。本実施形態では、多岐脚７、脚柱８、支基３及び背凭れ支持部材９を含む構造体を脚体２と称する。
【００１５】
座体４は、その基板としての合成樹脂製の座板１３の上部に着座体１４を一体的に設けた構成を有する。着座体１４は、座板１３の上面を覆うウレタンフォーム等からなるクッション材と、クッション材の表面に張設されてこれを覆うシート表皮と、を有する。座板１３の下面側は、支基３に固定された座受構造体５の上面側に前後スライド可能に支持される。
【００１６】
図２を併せて参照し、背凭れ１０は、例えば枠状の背凭れフレームの前面開口部にメッシュ生地を張設した構成を有する。背凭れフレームの中央下部の後面側は、背凭れ支持部材９の起立部９ａの前面側に対向して重なり、これらが一体的に締結される。
【００１７】
背凭れ支持部材９は、背凭れ１０の下部後方に配置される起立部９ａと、起立部９ａの下方で左右に分岐し前方へ湾曲しつつ延びる左右一対の前向き腕部９ｂと、を一体に有する。左右の前向き腕部９ｂの前部は、座体４の後部下方でクロス部９ｃを介して一体に連結される。前向き腕部９ｂの前端部は、支基３の後部に適宜支持される。背凭れ支持部材９及び背凭れ１０は、前記リクライニング機構の作用により前後に傾動したり所望の後傾位置で停止し得る。図中符号１１は支基３に対する背凭れ支持部材９の傾動軸、符号１２は支基３の側方へ突出する操作ノブをそれぞれ示す。
【００１８】
図２〜図１２を参照し、座受構造体５は、ボックス状の支基３の上面に略水平に載置されて固定支持される平面視矩形状の脚体固定板部１７と、脚体固定板部１７の左右側縁部から上外側に延びる左右一対の傾斜板部１６と、脚体固定板部１７及び左右傾斜板部１６を含む部位の外周縁部から上方へ起立する外周壁部１９と、外周壁部１９の起立先端部から外周側に起立する外フランジ２０と、を有し、全体として上下に浅いトレー状に形成される。左右傾斜板部１６の後部には、左右肘掛け６の支柱の左右内側端部をそれぞれ締結固定する肘掛け固定部２１が設けられる。
【００１９】
座受構造体５は、前記トレー状をなす鋼板製の座受本体２２と、座受本体２２における前記脚体固定板部１７に対応する部位の下面に溶接固定される合成樹脂製の脚体固定サポート２３と、で構成される。脚体固定サポート２３は、その前縁部及び左右側縁部にそれぞれ下方へ突出する隆起形状を形成し、これらが下面視コ字状に連続する固定サポート突部２３ａを形成する。この固定サポート突部２３ａの内周に支基３上面の前縁部及び左右側縁部を沿わせることで、固定サポート突部２３ａが支基３上に位置決めされる。その後、固定サポート突部２３ａ上に座受本体２２を載置し、支基３と座受本体２２とで固定サポート突部２３ａを挟み込んだ状態で、座受構造体５が支基３に締結等により固定される。
【００２０】
座受構造体５は、座体４を前後摺動可能に支持する。具体的には、座受構造体５の外フランジ２０における左右傾斜板部１６の外側縁部に沿う部位（以下、外側縁フランジ２０ａという。）の前側は、座体４における座板１３の左右側部の前側に係合して当該部位を上下方向の変位を規制した状態で支持する左右第一支持部２５とされ、外側縁フランジ２０ａの前後中間部は、座板１３の左右側部の前後中間部に係合して当該部位を同じく上下方向の変位を規制した状態で支持する左右第二支持部２６とされる。外側縁フランジ２０ａにおける第一支持部２５及び第二支持部２６の間には中間切り欠き部２７が設けられ、第二支持部２６の後方には後方切り欠き部２８が設けられる。
【００２１】
座板１３の左右側部の前側には、左右第一支持部２５に外側方から係合するフック状の左右第一座側支持部３１が設けられる。座板１３の左右側部の前後中間部には、左右第二支持部２６に外側方から係合する同じくフック状の左右第二座側支持部３２が設けられる。座体４の左右側部における左右第二座側支持部３２よりも後方の領域は、座受構造体５に規制されることなく座板１３の上方への変位が許容された変位許容部３３とされる（図３参照）。
【００２２】
座板１３は、着座者が着座しない無負荷状態では、左右側部の下面を座受構造体５の第一支持部２５及び第二支持部２６の上面に当接させ（図８参照）、座受構造体５の他部位に対しては離間する。一方、座板１３は、着座者が着座して体圧が加わった負荷状態では、その左右中間部を下方へ変位させるように撓み、後述するリブ４１の下端を座受構造体５の外フランジ２０の上面に適宜当接させる。さらに座板１３が撓んだ場合、その内周側を座受構造体５の外フランジ２０よりも内周側の上面に当接させることもある。
【００２３】
着座者が座体４に浅く座り、座板１３の前部に着座者の臀部からの荷重が加わると、主に座板１３の前部が下方へ沈み込むように変位する。このとき、第一座側支持部３１及び第二座側支持部３２が、座受構造体５の第一支持部２５及び第二支持部２６にそれぞれ外側方から係合することで、座板１３が沈み込んでその左右側部を内側方へ引き込もうとしても、前記支持部同士の係合が外れて座板１３が座受構造体５から脱落するようなことはない。また、前記支持部同士の係合により座板１３の前部両側の上方への変位（反り）が規制されることで、浅く座ったときの臀部の過度なホールドが抑制される。
【００２４】
一方、着座者が座体４に深く座り、座板１３の後部に着座者の臀部からの荷重が加わると、主に座板１３の後部が下方へ沈み込むように変位する。このときも、前記支持部同士の係合が外れることはないが、座板１３の後部両側の上方への変位（反り）は許容される。これにより、臀部を左右から包み込むようにホールド可能となり、着座者が深く座ったときの正しい着座姿勢へのサポートがなされる。
【００２５】
図６、図９を参照し、座板１３の後部下面側における左右の変位許容部３３の間には、座受構造体５に係合して上方への変位を規制する変位規制部３５が突設される。変位規制部３５は、座板１３から起立する筒状体３５ａの先端部に係止フランジ３５ｂを形成する。座受構造体５における変位規制部３５周辺と対向する部位には、座受本体２２の左右中間部を上方に変位させることで後凹部３６が形成される。後凹部３６は、脚体固定サポート２３により下方から閉塞される。
【００２６】
後凹部３６は、下面視で座受本体２２の後縁部から前方に延びる長方形状をなし、その左右中央部には、前後に延びるスリット状のスライド孔３７が形成される。スライド孔３７の前端部は拡幅部３７ａとされ、この拡幅部３７ａを通じて変位規制部３５の係止フランジ３５ｂを後凹部３６の下方へ貫通させることが可能である。
【００２７】
係止フランジ３５ｂを拡幅部３７ａに通した状態で、変位規制部３５をスライド孔３７に対して後方移動させることで、変位規制部３５がスライド孔３７に前後スライド可能かつ上方変位不能に係合する。このとき、後凹部３６の上面と座板１３の下面との間の隙間分だけは、座板１３の後部の左右中間部が座受構造体５に対して下方変位可能となる。一方、座板１３の後部の左右両側部は、座受構造体５の外フランジ２０の上面と座板１３の下面（図９ではリブ４１の下端）との間の隙間分だけ、比較的小さく下方変位可能となる。
【００２８】
変位規制部３５と拡幅部３７ａとの前後位置を一致させたとき、外側縁フランジ２０ａの前方領域と座板１３の第一座側支持部３１との前後位置、及び外側縁フランジ２０ａの中間切り欠き部２７と座板１３の第二座側支持部３２との前後位置もそれぞれ一致する。
この状態で、座板１３と座受構造体５とを接近させることで、変位規制部３５の係止フランジ３５ｂが拡幅部３７ａを通って後凹部３６の下方に至るとともに、外側縁フランジ２０ａの前方領域及び中間切り欠き部２７を通って第一座側支持部３１及び第二座側支持部３２がそれぞれ外側縁フランジ２０ａの下方に至る。
【００２９】
その後、座板１３を座受構造体５に対して後方移動させることで、変位規制部３５が後凹部３６に上方変位不能に係合するとともに、第一座側支持部３１及び第二座側支持部３２が第一支持部２５及び第二支持部２６にそれぞれ上下変位不能に係合する。
これにより、座板１３の前部の左右両側と後部の左右中央部との三点が座受構造体５に前後摺動可能に支持される。
【００３０】
なお、本実施形態では、座受構造体５に対する座体４の前後摺動をロックする位置決め手段として、例えば座板１３の左側部に前後方向に沿う軸を中心に揺動可能に支持されたロックレバー３８と、ロックレバー３８を選択的に係止させるべく座受構造体５の左側部に前後に並んで形成された複数の係止孔３９と、を有する。
【００３１】
図７、図８、図１３を参照し、座板１３は、上面視で概ね方形状に形成され、中央部のやや前寄りの部位を頂部として下方に膨出した浅い皿状をなす座板本体１３ａと、座板本体１３ａの下面に立設され、前後方向に沿って延びるとともに互いに独立して左右に並ぶ複数のリブ４１と、座板本体１３ａの下面の外周部に立設され、複数のリブ４１を囲むように配される外周壁４２と、を一体に有する。
【００３２】
リブ４１は、その先端縁部を前後方向に沿わせるように形成され、かつ左右外側のものほど起立高さを増すように形成される。座板本体１３ａは前記皿状をなしているので、座板本体１３ａの中央部の前寄りではリブ４１が消失する。なお、リブ４１が消失しない設定としてもよい。
【００３３】
図６を併せて参照し、座受構造体５は、左右方向では座板１３のリブ４１形成部の全幅に渡り、かつ前後方向ではリブ４１形成部の前部及び後部を除いた領域を下方から覆うように設けられる。
座受構造体５が全リブ４１の大部分のリブ群を覆うことで、リブ４１のような補強構造が外部から視認され難く、かつ座受構造体５と座板１３との相対移動方向（前後方向）に沿ってリブ４１が延びることで、リブ４１が座受構造体５に接した状態で座板１３が前後移動したとしても、リブ４１が引っ掛かることなくスムーズに座板１３が移動可能となる。
【００３４】
着座者の着座時には、リブ４１の先端縁部が座受構造体５の外フランジ２０の前部及び後部の上面に当接し、座板１３の過度の変形を規制する。このとき、座受構造体５に当接するリブ４１の位置や高さ等の設定により、沈み込んだ座板１３の底付き感やリブ４１当接後の座板１３の撓み易さ等をコントロールすることが可能である。
【００３５】
リブ４１は、外周壁４２の前部及び後部の直前で起立高さを漸減させて消失する。外周壁４２の後部には、背凭れ支持部材９を避けるための切り欠き部４３が形成され、この切り欠き部４３内にリブ４１の後端部が臨んでいる。なお、リブ４１の端部が消失せずに末端まで至り、外周壁４２に突き当たる部位はこれに接続される構成としてもよい。
【００３６】
外周壁４２は、外部からリブ４１を視認し難くするとともに、着座者の手指が支基３周辺に進入することを抑制するものであるが、背凭れ支持部材９の近傍では、切り欠き部４３を通じて着座者の手指が支基３周辺に至ることが考えられる。しかし、本実施形態では、切り欠き部４３内に複数のリブ４１の後端部を臨ませることで、切り欠き部４３に手指が至ったとしても手指の進入が抑制され、かつリブ４１に触れることで着座者に注意が促される。また、座板１３全体の枠となる外周壁４２の後部に切り欠き部４３を形成することで、座板１３全体の特に後部の左右方向の撓み易さは確保される。
【００３７】
座板１３は、複数のリブ４１の延び方向（前後方向）では撓みが抑制され、着座者の身体を支持するのに十分な剛性を確保する。一方、座板１３は、複数のリブ４１が左右に延びる横リブ等によって連結されることなく互いに独立した状態（換言すれば、隣接するリブ４１間に前後方向で貫通する溝を形成した状態）とすることで、リブ４１の並び方向（左右方向）では比較的撓み易い構成となる。座板１３全体の強度剛性は、枠状の外周壁４２により適度に確保される。
【００３８】
以上説明したように、上記実施形態における椅子用基板構造は、脚体２に支持される座板１３が、座板本体１３ａの下面に形成されて前後方向に沿って延びるとともに互いに独立して左右に並ぶ複数のリブ４１と、座板本体１３ａの下面の外周部に形成されて複数のリブ４１を囲む外周壁４２と、を有するものである。
【００３９】
この構成によれば、座板１３におけるリブ４１の延び方向では複数のリブ４１によって撓みを抑制し、座体４の剛性感を確保する一方、複数のリブ４１を互いに独立した非連結状態とすることで、これらの並び方向（左右方向）では座板１３を撓み易くすることが可能となる。この座板１３の撓みにより、着座者の身体を左右方向から包み込むようにホールドし、着座姿勢のサポートを図ることができる。座板１３全体の強度剛性は、外周壁４２により適度に確保することができる。
【００４０】
上記椅子用基板構造は、座板１３を脚体２に支持する座受構造体５が、複数のリブ４１の少なくとも一部のリブ群を覆うように設けられ、座板１３に対する着座者の体圧に相当する荷重の入力前には、座受構造体５がリブ４１の先端縁部から離間し、前記荷重の入力状態には、座受構造体５がリブ４１の先端縁部に当接することで、別途カバー等を設けることなく、座受構造体５によってリブ４１のような補強構造を外部から視認し難くし、コストダウンを図った上で見映えの向上を図ることができる。
また、着座者の着座時にはその体圧によってリブ４１の先端縁部を座受構造体５に当接させることで、座板１３の過度の変形を抑えるとともに、当接するリブ４１の設定によって座板１３の撓みのコントロールを図ることができる。
【００４１】
上記椅子用基板構造は、座板１３が、座受構造体５にリブ４１の延び方向に沿って移動可能に支持されることで、座板１３を移動させる際に座受構造体５にリブ４１が接触しても、リブ４１に沿って座板１３をスムーズに移動させることができる。
【００４２】
本発明に係る椅子１は、脚体２と、脚体２に支持された座受構造体５と、座受構造体５に支持される座板１３と、を備え、座板１３が、座板本体１３ａの下面に形成されて前後方向に沿って延びるとともに互いに独立して左右に並ぶ複数のリブ４１と、座板本体１３ａの下面の外周部に形成されて複数のリブ４１を囲む外周壁４２と、を有し、外周壁４２の後部には、背凭れ支持部材９を避ける切り欠き部４３が形成され、複数のリブ４１の少なくとも一部のリブ群が、その後端部を切り欠き部４３に臨ませるものである。
【００４３】
この構成によれば、座板１３におけるリブ４１の延び方向では複数のリブ４１によって撓みを抑制し、座体４の剛性感を確保する一方、複数のリブ４１を互いに独立した非連結状態とすることで、これらの並び方向（左右方向）では座板１３を撓み易くすることが可能となる。この座板１３の撓みにより、着座者の身体を左右方向から包み込むようにホールドし、着座姿勢のサポートを図ることができる。座板１３全体の強度剛性は外周壁４２により適度に確保し、かつ切り欠き部４３によって左右方向の撓み易さも確保することができる。
また、座板１３全体の枠となる外周壁４２の後部に切り欠き部４３を形成することで、座板１３全体の特に後部の左右方向の撓み易さを高めるとともに、切り欠き部４３に複数のリブ４１の後端部を臨ませることで、切り欠き部４３に手指が進入することを抑止することができる。
【００４４】
なお、上記実施形態における構成は本発明の一例であり、当該発明の要旨を逸脱しない範囲で種々の変更が可能である。
例えば、図１３に示すように、座板１３における着座者の臀部を支持し易い後部の両側に、リブ４１を避けつつ例えば撓み促進部としてのスリット孔４５ａを複数形成した容易変形部４５を設けてもよい。
【００４５】
スリット孔４５ａは、例えば隣接するリブ４１の間でこれらの延び方向に沿って形成され、座板本体１３ａを厚さ方向で貫通する。このスリット孔４５ａが、上面視で千鳥状に並んで複数形成される。
【００４６】
上記構成において、着座者が座体４に着座して座板１３の後部に臀部からの荷重が加わると、主に座板１３の後部が下方へ沈み込むように変位するとともに、座板１３の後部の左右側部は上方へ反り返るように変形する。このとき、座板１３の後部左右両側に容易変形部４５が設けられることで、前記変形が生じ易くなっている。
【００４７】
図１３の容易変形部４５は、複数のスリット孔４５ａが千鳥状に並んで形成されることで、スリット孔４５ａの端部間の架設部４５ｂがリブ４１の並び方向で連続することがなく、リブ４１の並び方向（左右方向）での容易変形部４５の伸縮が可能になる。座板１３の両側部は、座受構造体５との係合により左右内側への変位が規制されるが、変形容易部の左右方向の伸縮が許容されることで、座板１３の後部の沈み込みが容易になり、かつ座板１３後部の左右両側の上方への反り返りも容易になる。
【００４８】
これにより、座板１３の後部が着座者の臀部に沿うようにスムーズに撓み、着座者の臀部を快適に支持できる。座板１３は、前後に延びる複数のリブ４１により前後方向の剛性が確保されるので、座部前部に支持された着座者の太腿部は、座板１３の撓みを抑えてしっかり支持可能であり、座板１３の剛性感を得ることができる。
【００４９】
容易変形部４５は、貫通孔以外に薄肉部や溝部、折り返し部や蛇腹部等の少なくとも一つを含むものであってもよい。
また、背凭れフレームにメッシュ生地を張設した構成の背凭れ１０に代わり、座板１３と同様の基板を有する背凭れを採用してもよい。本発明は、座体及び背凭れの他に、椅子におけるランバーサポートやヘッドレスト等の種々の荷重支持部材に適用してもよい。
【符号の説明】
【００５０】
１  椅子
２  脚体
５  座受構造体（基板受構造体）
１３  座板（椅子用基板）
１３ａ  座板本体（基板本体）
４１  リブ（突条）
４２  外周壁
４３  切り欠き部
４５  容易変形部
４５ａ  スリット孔（撓み促進部）
【図１】
2014236876.tif 000003
【図２】
2014236876.tif 000004
【図３】
2014236876.tif 000005
【図４】
2014236876.tif 000006
【図５】
2014236876.tif 000007
【図６】
2014236876.tif 000008
【図７】
2014236876.tif 000009
【図８】
2014236876.tif 000010
【図９】
2014236876.tif 000011
【図１０】
2014236876.tif 000012
【図１１】
2014236876.tif 000013
【図１２】
2014236876.tif 000014
【図１３】
2014236876.tif 000015